(57)【要約】【課題】本発明は、データ通信カードを保持するカードアダプタに端末装置を接続して無線で音声通信、又はデータ通信を行うに際し、簡易な構成で充電又は電力供給を行うことができる電池内蔵カードアダプタおよび電池内蔵カードアダプタシステムを提供することを目的とする。【解決手段】カードアダプタ２００には、電池２０１、制御機構２０２、及びスイッチ２０３が設けられており、端末装置３００と制御機構２０２を接続するライン２１０、制御機構２０２と電池２０１を接続するライン２１３、制御機構２０２とスイッチ２０３を接続するライン２１２、及び制御機構２０２とデータ通信カード１００を接続するライン２１１が更に設けられている。【選択図】　　図２
2004147144.tif 000002
【特許請求の範囲】
【請求項１】
アンテナを有し、前記アンテナを介して外部の通信機器との間で無線によるデータ通信と音声通話を行うデータ通信カードを保持するアダプタ本体と、前記アダプタ本体に内蔵された電池と、前記電池の電力を前記データ通信カードに伝送する電池電力伝送手段とを具備したことを特徴とするカードアダプタ。
【請求項２】
前記電池が充電式電池であることを特徴とする請求項１に記載のカードアダプタ。
【請求項３】
アンテナを有し、前記アンテナを介して外部の通信機器との間で無線によるデータ通信と音声通話を行うデータ通信カードを保持するとともに、前記データ通信カードと一体となって電子機器に着脱されるアダプタ本体と、前記アダプタ本体に内蔵された充電式電池と、前記電子機器から前記充電式電池に電力を伝送する充電手段と、前記電子機器から前記データ通信カードに電力を伝送する電子機器電力伝送手段とを具備することを特徴とするカードアダプタ。
【請求項４】
前記アダプタ本体に搭載された選択スイッチと、前記データ通信カードと一体となって前記アダプタ本体が前記電子機器に挿入されている場合に、前記選択スイッチの状態に応じて、前記充電手段により前記電子機器から前記充電式電池に電力が伝送されることにより前記充電式電池が充電される状態と、前記電子機器電力伝送手段により前記電子機器から前記データ通信カードに電力が伝送される状態とを切り替える制御手段とを有することを特徴とする請求項３に記載のカードアダプタ。
【請求項５】
前記制御手段には前記充電式電池の電力を前記データ通信カードに伝送する電池電力伝送手段が更に設けられており、前記データ通信カードと一体となった前記アダプタ本体が前記電子機器から挿脱されている場合には、前記電池電力伝送手段により前記充電式電池から前記データ通信カードに電力が伝送される状態に前記制御手段が切り替えるように、前記選択スイッチが作動することを特徴とする請求項４に記載のカードアダプタ。
【請求項６】
前記アダプタ本体は選択手段を有しており、前記データ通信カードと一体となって前記アダプタ本体が前記電子機器に挿入されている場合に、前記選択手段は、前記充電手段により前記電子機器から前記充電式電池に電力が伝送されることにより前記充電式電池が充電される状態と、前記電子機器電力伝送手段により前記電子機器から前記データ通信カードに電力が伝送される状態とを切り替えることを特徴とする請求項３に記載のカードアダプタ。
【請求項７】
前記選択手段には前記充電式電池の電力を前記データ通信カードに伝送する電池電力伝送手段が更に設けられており、前記データ通信カードと一体となった前記アダプタ本体が前記電子機器から挿脱されている場合には、前記選択手段が、前記電池電力伝送手段により前記充電式電池から前記データ通信カードに電力が伝送される状態に切り替えることを特徴とする請求項６に記載のカードアダプタ。
【請求項８】
アンテナを有し、前記アンテナを介して外部の通信機器との間で無線によるデータ通信と音声通話を行い、着信待ち受け状態において、前記外部の通信機器からのデータ信号及び音声信号の着信を通知する着信通知機能を備えた通信カードと、
前記通信カードを保持するアダプタ本体と、前記アダプタ本体に内蔵された充電式電池と、前記充電式電池の電力を前記データ通信カードに伝送する電池電力伝送手段とを備えたカードアダプタと、
前記通信カードに接続されたイヤホンマイクと、
前記イヤホンマイクに設けられ、前記着信通知機能により着信が通知された後、前記着信待ち受け状態を通話状態にする手動スイッチを有することを特徴とするカードアダプタシステム。
【請求項９】
アンテナを有し、前記アンテナを介して外部の通信機器との間で無線によるデータ通信と音声通話を行うとともに、特定の発呼先を登録しておく記憶手段を備えた通信カードと、
前記通信カードを保持するアダプタ本体と、前記アダプタ本体に内蔵された充電式電池と、前記充電式電池の電力を前記データ通信カードに伝送する電池電力伝送手段とを備えたカードアダプタと、
前記通信カードに接続されたイヤホンマイクと、
前記イヤホンマイクに設けられ、前記記憶手段に登録された特定の発呼先を呼び出して通話状態にする手動スイッチを有することを特徴とするカードアダプタシステム。
【請求項１０】
前記電子機器は特定の発呼先を記憶しておく発呼先記憶部を有し、前記カードアダプタは前記発呼先記憶部から前記記憶手段に発呼先データを伝送する発呼先伝送手段を有し、前記通信カードと一体となって前記アダプタ本体が前記電子機器に挿入されている場合に、前記発呼先伝送手段により前記発呼先記憶部から前記記憶手段に発呼先データが伝送され、前記記憶手段に登録された特定の発呼先が書き換えられることを特徴とする請求項９に記載のカードアダプタシステム。
【請求項１１】
アンテナを有し、前記アンテナを介して外部の通信機器との間で無線によるデータ通信と音声通話を行い、着信待ち受け状態において、前記外部の通信機器からのデータ信号及び音声信号の着信を通知する着信通知機能を備えるとともに、特定の発呼先を登録しておく記憶手段を備えた通信カードと、
前記通信カードを保持するアダプタ本体と、前記アダプタ本体に内蔵された充電式電池と、前記充電式電池の電力を前記データ通信カードに伝送する電池電力伝送手段とを備えたカードアダプタと、
前記通信カードに接続されたイヤホンマイクと、
前記イヤホンマイクに設けられ、前記着信通知機能により着信が通知される前は、前記記憶手段に登録された特定の発呼先を呼び出して通話状態にし、前記着信通知機能により着信が通知された後は、前記着信待ち受け状態を通話状態にする手動スイッチを有することを特徴とするカードアダプタシステム。
【発明の詳細な説明】
【０００１】
【発明の属する技術分野】
本発明は、電池内蔵のカードアダプタにデータ通信カード単体と専用インターフェイスを接続することにより、無線で音声通信、又はデータ通信を行う電池内蔵カードアダプタ、又は、このカードアダプタと端末装置を接続して無線で音声通信、又はデータ通信を行うに際し、この端末装置から、前述のカードアダプタに内蔵されている充電式電池に対して充電し、データ通信カードに電力を供給する電池内蔵のカードアダプタ、および電池内蔵カードアダプタシステムに関する。
【０００２】
【従来の技術】
従来、データ通信カードとしては、無線による通信機能を備えたＣＦカード（Ｃｏｍｐａｃｔ　Ｆｌａｓｈ　Ｃａｒｄ）が知られている。このＣＦカードは、例えば、パーソナルコンピュータや情報携帯端末等の端末装置に設けられたＣＦカードスロットに挿入したり、ＰＣＭＣＩＡ（Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）カードスロット対応型の端末装置の場合には、カードアダプタを介して端末装置に挿入することにより、例えば、無線基地局及び公衆回線を介して、前記端末装置と接続している通信相手や特定の無線ネットワーク上の通信相手との間で、無線による通信を行うようにするものである。
【０００３】
又、近年では、端末装置に音声通信機能を備え、データ通信と音声通信の両方に対応するものがある。但し、このＣＦカードでは、カードスロットにおいてデータ信号と制御信号との授受が行われるため、音声信号の授受を専用インターフェイス（例えばマイクジャック等）を利用して行うようになっている。また、携帯性を良くする為に、データ通信カードを携帯電話機型アダプタに装着することにより、携帯式電話機能を有するものも提案されている（例えば、特許文献１参照）。
【０００４】
【特許文献１】
特開平８−２６５８５６号公報（第６−７頁、第５−６図）
【０００５】
【発明が解決しようとする課題】
しかしながら、データ通信と音声通信のいずれを行う場合においても、データ通信カードを駆動する電源は、データ通信カードを接続する端末装置から供給されている。その為、データ通信カードを使用するには、データ通信カードの接続先である端末装置から、データ通信カードに電力を供給する必要があり、データ通信カードとカードアダプタとを接続しただけの状態では、データ通信若しくは音声通信することはできない。また、特開平８−２６５８５６号公報で提案されている携帯電話機型アダプタでは、携帯電話機型アダプタに内蔵されている電池からデータ通信若しくは音声通信する為の電力をデータ通信カードに供給することはできるが、携帯電話機型アダプタは端末装置に接続できる構造にはなっていないため、端末装置から携帯電話機型アダプタに内蔵されている電池を充電することができず、携帯電話機型アダプタ専用の充電器が必要となる。又、端末装置から、直接、データ通信カードに電力を供給することもできない。
【０００６】
このような問題を鑑みて、本発明は、端末装置と接続するためのカードアダプタに電池を内蔵し、別途充電器を用意することなく、当該カードアダプタを端末装置に装着することにより、カードアダプタに自動的にあるいは任意に充電を行うことができるとともに、端末装置から取り外しても、データ通信カードとカードアダプタと専用インターフェイスのみでの通信および通話が可能となる電池内蔵カードアダプタおよび電池内蔵カードアダプタシステムを提供することを目的とする。
【０００７】
【課題を解決するための手段】
上記目的を達成するために、本発明のカードアダプタは、アンテナを有し、アンテナを介して外部の通信機器との間で無線によるデータ通信と音声通話を行うデータ通信カードを保持するアダプタ本体と、アダプタ本体に内蔵された電池と、電池の電力を前記データ通信カードに伝送する電池電力伝送手段とを具備したことを特徴とする。
【０００８】
この構成によると、データ通信に必要な電力が、カードアダプタ本体に内蔵された電池からデータ通信カードへ供給される。尚、上記電池は充電式電池であっても良い。
【０００９】
又、本発明のカードアダプタは、アンテナを有し、アンテナを介して外部の通信機器との間で無線によるデータ通信と音声通話を行うデータ通信カードを保持するとともに、データ通信カードと一体となって電子機器に着脱されるアダプタ本体と、アダプタ本体に内蔵された充電式電池と、電子機器から充電式電池に電力を伝送する充電手段と、電子機器からデータ通信カードに電力を伝送する電子機器電力伝送手段とを具備することを特徴とする。
【００１０】
この構成によると、データ通信カードが挿入されたアダプタ本体は、データ通信カードを保持した状態で、データ通信カードと一体となって通信機器に装着され、当該通信機器から充電式電池、又はデータ通信カードへの電力供給が可能となる。
【００１１】
又、本発明のカードアダプタは、アダプタ本体に搭載された選択スイッチと、データ通信カードと一体となってアダプタ本体が電子機器に挿入されている場合に、選択スイッチの状態に応じて、充電手段により電子機器から充電式電池に電力が伝送されることにより充電式電池が充電される状態と、電子機器電力伝送手段により電子機器からデータ通信カードに電力が伝送される状態とを切り替える制御手段とを有することを特徴とする。
【００１２】
この構成によると、データ通信カードと一体となってアダプタ本体が電子機器に挿入される。この際、選択スイッチが充電式電池への充電モードを選択した場合は、制御手段において充電手段が選択されて作動し、充電用の電力が、電子機器から充電式電池へ供給され、充電式電池の充電が行われる。一方、選択スイッチがデータ通信カードへの電力供給モードを選択した場合は、制御手段において電子機器電力供給手段が選択されて作動し、データ通信に必要な電力が、電子機器からデータ通信カードへ供給される。
【００１３】
又、本発明のカードアダプタは、制御手段には充電式電池の電力をデータ通信カードに伝送する電池電力伝送手段が更に設けられており、データ通信カードと一体となったアダプタ本体が電子機器から挿脱されている場合には、電池電力伝送手段により充電式電池からデータ通信カードに電力が伝送される状態に制御手段が切り替えるように、選択スイッチが作動することを特徴とする。
【００１４】
この構成によると、データ通信カードと一体となったアダプタ本体が電子機器から挿脱される。この際、制御機構が電池電力伝送手段により、充電式電池からデータ通信カードに電力が伝送される状態に切り替えるように、選択スイッチが作動し、データ通信に必要な電力が、アダプタ本体に内蔵された充電式電池からデータ通信カードへ供給される。
【００１５】
又、本発明のカードアダプタは、アダプタ本体は選択手段を有しており、データ通信カードと一体となってアダプタ本体が電子機器に挿入されている場合に、選択手段は、充電手段により電子機器から充電式電池に電力が伝送されることにより充電式電池が充電される状態と、電子機器電力伝送手段により電子機器からデータ通信カードに電力が伝送される状態とを切り替えることを特徴とする。
【００１６】
この構成によると、データ通信カードと一体となってアダプタ本体が電子機器に挿入される。この際、選択手段が充電式電池への充電モードを選択した場合は、選択手段において充電手段が選択されて作動し、充電用の電力が、電子機器から充電式電池へ供給され、充電式電池の充電が行われる。一方、選択手段がデータ通信カードへの電力供給モードを選択した場合は、選択手段において電子機器電力供給手段が選択されて作動し、データ通信に必要な電力が、電子機器からデータ通信カードへ供給される。
【００１７】
又、本発明のカードアダプタは、選択手段には充電式電池の電力をデータ通信カードに伝送する電池電力伝送手段が更に設けられており、データ通信カードと一体となったアダプタ本体が電子機器から挿脱されている場合には、選択手段が、電池電力伝送手段により充電式電池からデータ通信カードに電力が伝送される状態に切り替えることを特徴とする。
【００１８】
この構成によると、データ通信カードと一体となったアダプタ本体が電子機器から挿脱される。この際、選択手段が、電池電力伝送手段により充電式電池からデータ通信カードに電力が伝送される状態に切り替えるため、データ通信に必要な電力がカードアダプタ本体に内蔵された充電式電池からデータ通信カードへ供給される。
【００１９】
又、本発明のカードアダプタシステムは、アンテナを有し、アンテナを介して外部の通信機器との間で無線によるデータ通信と音声通話を行い、着信待ち受け状態において、外部の通信機器からのデータ信号及び音声信号の着信を通知する着信通知機能を備えた通信カードと、通信カードを保持するアダプタ本体と、アダプタ本体に内蔵された充電式電池と、充電式電池の電力をデータ通信カードに伝送する電池電力伝送手段とを備えたカードアダプタと、通信カードに接続されたイヤホンマイクと、イヤホンマイクに設けられ、着信通知機能により着信が通知された後、着信待ち受け状態を通話状態にする手動スイッチを有することを特徴とする。
【００２０】
この構成によると、データ通信に必要な電力はカードアダプタ本体に内蔵された充電式電池から通信カードへ供給される。又、着信待ち受け状態において、外部の通信機器からデータ信号、及び音声信号の着信があると、通信カードの着信通知機能により、使用者に当該着信が通知される。当該通知後に、使用者はイヤホンマイクに接続された手動スイッチをオンにすることにより、着信待ち受け状態を通話状態にすることができる。
【００２１】
又、本発明のカードアダプタシステムは、アンテナを有し、アンテナを介して外部の通信機器との間で無線によるデータ通信と音声通話を行うとともに、特定の発呼先を登録しておく記憶手段を備えた通信カードと、通信カードを保持するアダプタ本体と、アダプタ本体に内蔵された充電式電池と、充電式電池の電力をデータ通信カードに伝送する電池電力伝送手段とを備えたカードアダプタと、通信カードに接続されたイヤホンマイクと、イヤホンマイクに設けられ、記憶手段に登録された特定の発呼先を呼び出して通話状態にする手動スイッチを有することを特徴とする。
【００２２】
この構成によると、アダプタ本体には通信カードのみが装着されており、アダプタ本体は通信カードと一体となっているため、電池電力伝送手段により、充電式電池から通信カードに電力が伝送される状態に切り替わる。従って、データ通信に必要な電力が、カードアダプタ本体に内蔵された充電式電池から通信カードへ供給される。又、アダプタ本体に通信カードのみを装着した状態において、使用者はイヤホンマイクに設けられた手動スイッチをオンにすることにより、記憶手段に登録されている特定の発呼先の電話番号等を呼び出すことが可能になるため、当該特定の発呼先との通話が可能となる。
【００２３】
又、本発明のカードアダプタシステムは、電子機器は特定の発呼先を記憶しておく発呼先記憶部を有し、カードアダプタは発呼先記憶部から記憶手段に発呼先データを伝送する発呼先伝送手段を有し、通信カードと一体となってアダプタ本体が電子機器に挿入されている場合に、発呼先伝送手段により発呼先記憶部から記憶手段に発呼先データが伝送され、記憶手段に登録された特定の発呼先が書き換えられることを特徴とする。
【００２４】
この構成によると、発呼先伝送手段により、発呼先記憶部に記憶された複数の発呼先データが発呼先記憶部から記憶手段に伝送され、記憶手段に登録された特定の発呼先が書き換えられる。
【００２５】
尚、本発明のカードアダプタシステムにおいては、アンテナを有し、アンテナを介して外部の通信機器との間で無線によるデータ通信と音声通話を行い、着信待ち受け状態において、外部の通信機器からのデータ信号及び音声信号の着信を通知する着信通知機能を備えるとともに、特定の発呼先を登録しておく記憶手段を備えた通信カードと、通信カードを保持するアダプタ本体と、アダプタ本体に内蔵された充電式電池と、充電式電池の電力をデータ通信カードに伝送する電池電力伝送手段とを備えたカードアダプタと、通信カードに接続されたイヤホンマイクと、イヤホンマイクに設けられ、着信通知機能により着信が通知される前は、記憶手段に登録された特定の発呼先を呼び出して通話状態にし、着信通知機能により着信が通知された後は、着信待ち受け状態を通話状態にする手動スイッチを有することを特徴とする構成としても良い。
【００２６】
この構成によると、データ通信に必要な電力はカードアダプタ本体に内蔵された充電式電池から通信カードへ供給される。又、着信待ち受け状態において、外部の通信機器からデータ信号、及び音声信号の着信があると、通信カードの着信通知機能により、使用者に当該着信が通知され、使用者はイヤホンマイクに接続された手動スイッチをオンにすることにより、着信待ち受け状態を通話状態にすることができるとともに、着信が通知される前の状態においては、使用者はイヤホンマイクに設けられた手動スイッチをオンにすることにより、記憶手段に登録されている特定の発呼先の電話番号等を呼び出すことが可能になるため、当該特定の発呼先との通話が可能となる。
【００２７】
【発明の実施の形態】
以下、本発明の第１の実施形態について図面を参照して説明する。図１は、本発明の第１の実施形態にかかるカードアダプタシステムの構成を示す斜視図である。尚、カードアダプタ２００の使用状態を理解しやすくするために、図１にはデータ通信カード１００、及び、端末装置３００がカードアダプタ２００と共に示されており、データ通信カード１００をカードアダプタ２００に装着して使用する場合を示している。
【００２８】
図１において、カードアダプタ２００は、アダプタ本体２０５を有しており、当該アダプタ本体２０５の側面２０６には接続用コネクタ２０７が設けられている。カードアダプタ２００は、端末装置３００に設けられたカードアダプタ用スロット（図示せず）に接続用コネクタ２０７が設けられた側面２０６を挿入して使用するものである。カードアダプタ２００としては、例えば、ＰＣカードがよく知られている。
【００２９】
カードアダプタ２００が挿入される端末装置３００は、例えば、パーソナルコンピュータや情報携帯端末等からなる電子機器であり、データ通信のためのデータ信号と音声通信のための音声信号の入出力と、通信相手との通信に必要な制御信号の設定とが行われるものである。この制御信号には、通信相手を指定する信号（例えば回線接続情報のための信号）と、データ通信と音声通信とのどちらを行うかを指定する信号とがある。但し、制御信号は、端末装置３００と他の端末装置との間で通信を行う際に、前記端末装置３００において予め設定されるものである。また、通信相手である他の端末装置には、例えば、無線基地局および公衆回線を介して接続された他の端末装置や、特定の無線ネットワーク上の他の端末装置等がある。
【００３０】
又、アダプタ本体２０５の一側面には、データ通信カード１００を挿入可能なデータ通信カード用スロット２０８が設けられており、当該データ通信用スロット２０８にデータ通信カード１００が挿入されることにより、アダプタ本体２０５がデータ通信カード１００を保持する構成となっている。このデータ通信カード用スロット２０８の突き当たりの位置には、データ通信カード１００に設けられた接続用コネクタ１０１と接続可能なデータ通信カード接続用コネクタ２０９が設けられている。
【００３１】
カードアダプタ２００に挿入されるデータ通信カード１００はアンテナ１０２を有しており、当該アンテナを介して外部の通信機器との間で無線によるデータ通信と音声通話を行うものである。アダプタ本体２０５は、当該データ通信カード１００を保持した状態で、データ通信カード１００と一体となって端末装置３００に着脱される。
【００３２】
図２は、本発明の第１の実施形態にかかるカードアダプタシステムの概略構成を示すブロック図である。
【００３３】
図２に示す様に、カードアダプタ２００には、電池２０１が設けられている。この電池２０１は、図１に示す様に、カードアダプタ本体２０５に内蔵されており、例えば、リチウムポリマー電池等からなる充電式電池である。又、カードアダプタ２００には、制御機構２０２とスイッチ２０３が設けられており、端末装置３００と制御機構２０２を接続するライン２１０、制御機構２０２と電池２０１を接続するライン２１３、制御機構２０２とスイッチ２０３を接続するライン２１２、及び制御機構２０２とデータ通信カード１００を接続するライン２１１が更に設けられている。
【００３４】
この制御機構２０２は、ライン２１０と２１３を介して端末装置３００から電池２０１に電力を伝送する充電手段２１４と、ライン２１０と２１１を介して端末装置３００からデータ通信カード１００に電力を伝送する電子機器電力伝送手段２１５と、ライン２１１と２１３を介して電池２０１の電力をデータ通信カード１００に伝送する電池電力伝送手段２１６を有する。
【００３５】
スイッチ２０３は、カードアダプタ本体２０５に搭載されており、当該スイッチ２０３の状態に応じて、制御機構２０２が、充電手段２１４により端末装置３００から電池２０１に電力が伝送されることにより電池２０１が充電される状態と、電子機器電力伝送手段２１５により端末装置３００からデータ通信カード１００に電力が伝送される状態とを切り替える。尚、スイッチ２０４は、機械的なスイッチでも構わないし、端末装置３００からの制御信号によるものでも構わない。
【００３６】
次に、以上の様に構成されたカードアダプタシステムの動作について、図１、及び図２を用いて説明する。まず、図１において、アダプタ本体２０５のデータ通信カード用スロット２０８に、データ通信カード１００が挿入され、このデータ通信カード用スロット２０８に設けられたデータ通信カード接続用コネクタ２０９とデータ通信カード１００に設けられた接続用コネクタ１０１とが接続される。データ通信カード１００が挿入されたアダプタ本体２０５は、当該データ通信カード１００を保持した状態で、データ通信カード１００と一体となって端末装置３００に設けられたカードアダプタ用スロット（図示せず）に装着され、アダプタ本体２０５の側面２０６に設けられた接続用コネクタ２０７と、端末装置３００に設けられた接続用コネクタ（図示せず）とが接続される。この様に、カードアダプタ２００を介して、データ通信カード１００と端末装置３００の接続がなされ、データ通信カード１００、電池２０１、及び端末装置３００の間での電力の伝送が可能となる。
【００３７】
次に、上記接続がなされた場合、図２に示したカードアダプタシステムにおけるスイッチ２０３の選択操作により、電力の供給に関して２種類のモード切替を行うことができる。即ち、データ通信カード１００と一体となってアダプタ本体２０５が端末装置３００に挿入されると、端末装置３００から電池２０１、又はデータ通信カード１００への電力供給が可能となるが、スイッチ２０３が電池２０１への充電モードを選択した場合は、制御機構２０２において充電手段２１４が選択されて作動し、充電用の電力が、制御機構２０２、ライン２１０、２１３を介して端末装置３００から電池２０１へ供給され、電池２０１の充電が行われる。この際、端末装置３００からデータ通信カード１００への電力供給を行う電子機器電力供給手段２１５の作動が禁止され、端末装置３００からデータ通信カード１００への電力供給のための接続は遮断される。
【００３８】
一方、スイッチ２０３がデータ通信カード１００への電力供給モードを選択した場合は、制御機構２０２において電子機器電力供給手段２１５が選択されて作動し、データ通信に必要な電力が、制御機構２０２、ライン２１０、２１１を介して端末装置３００からデータ通信カード１００へ供給される。この際、端末装置３００から電池２０１への電力供給を行う充電手段２１４の作動が禁止され、端末装置３００から電池２０１への電力供給のための接続は遮断される。
【００３９】
データ通信カード１００が挿入され、データ通信カードと一体となったアダプタ本体２０５を、端末装置３００から挿脱すると、端末装置３００との接続が解除されるが、この際、制御機構２０２が、電池電力伝送手段２１６により、電池２０１からデータ通信カード１００に電力が伝送される状態に切り替えるように、スイッチ２０３が作動する。従って、データ通信に必要な電力が、制御機構２０２、ライン２１１、２１３を介して、カードアダプタ本体２０６に内蔵された電池２０１からデータ通信カード１００へ供給されることになる。
【００４０】
以上、説明した様に、本実施形態においては、充電手段２１４、電子機器電力伝送手段２１５、及び、電池電力伝送手段２１６を有する制御機構２０２を設けるとともに、充電手段２１４により端末装置３００から電池２０１に電力が伝送されることにより電池２０１が充電される状態と、電子機器電力伝送手段２１５により端末装置３００からデータ通信カード１００に電力が伝送される状態とを切り替えるスイッチ２０３を設けている。従って、アダプタ本体２０５が、データ通信カード１００を保持した状態で、データ通信カード１００と一体となって端末装置３００に装着されている場合に、スイッチ２０３の選択操作により、電力の供給に関して、充電手段２１４により端末装置３００から電池２０１に電力が伝送されることにより電池２０１が充電される状態と、電子機器電力伝送手段２１５により端末装置３００からデータ通信カード１００に電力が伝送される状態の２種類のモードの切替を容易に行うことができるとともに、消費電力のムダを抑えることができる。又、カードアダプタ２００専用の充電器が不要となるとともに、端末装置３００から、直接、データ通信カード１００に電力を供給することも可能となる。
【００４１】
又、データ通信カード１００と一体となったアダプタ本体２０５が、端末装置３００から挿脱されている場合は、制御機構２０２が、電池電力伝送手段２１６により電池２０１からデータ通信カード１００に電力が伝送される状態へ切り替えるように、スイッチ２０３が作動し、データ通信に必要な電力がカードアダプタ本体２０５に内蔵された電池２０１からデータ通信カード１００へ供給されることになる。従って、データ通信と音声通信のいずれを行う場合においても、データ通信カード１００を駆動する電力を、データ通信カード１００が接続される端末装置３００から供給する必要がなくなるため、データ通信カードとカードアダプタとを接続しただけの状態で、データ通信若しくは音声通信を行うことが可能となる。
【００４２】
以下、本発明の第２の実施形態について図面を参照して説明する。図３は、本発明の第２の実施形態にかかるカードアダプタシステムの概略構成を示すブロック図である。尚、第２の実施形態にかかるカードアダプタシステムの外観構成については、図１で説明した第１の実施形態にかかるカードアダプタシステムの外観構成と同様であるため、ここでは詳しい説明を省略する。
【００４３】
図３に示す様に、本発明の第２の実施形態にかかるカードアダプタ５００は、図２に示した制御機構２０２、スイッチ２０３、及びライン２１２が設けられておらず、その代わりに選択機構５０１が設けられている点以外は第１の実施形態にかかるカードアダプタ２００と全く同様の構成となっている。
【００４４】
この選択機構５０１は、第１の実施形態における制御機構２０２と同様に、ライン２１０と２１３を介して端末装置３００から電池２０１に電力を伝送する充電手段２１４と、ライン２１０と２１１を介して端末装置３００からデータ通信カード１００に電力を伝送する電子機器電力伝送手段２１５と、ライン２１１と２１３を介して電池２０１の電力をデータ通信カード１００に伝送する電池電力伝送手段２１６を有する。
【００４５】
又、本実施形態のカードアダプタシステムにおけるデータ通信カード１００、カードアダプタ５００、及び端末装置３００の接続方法は、上記第１の実施形態において、図１、図２を用いて説明した内容と同様である。即ち、まず、図１において、アダプタ本体５０５のデータ通信カード用スロット２０８に、データ通信カード１００が挿入され、このデータ通信カード用スロット２０８に設けられたデータ通信カード接続用コネクタ２０９とデータ通信カード１００に設けられた接続用コネクタ１０１とが接続される。データ通信カード１００が挿入されたアダプタ本体５０５は、当該データ通信カード１００を保持した状態で、データ通信カード１００と一体となって端末装置３００に設けられたカードアダプタ用スロット（図示せず）に装着され、アダプタ本体５０５の側面２０６に設けられた接続用コネクタ２０７と、端末装置３００に設けられた接続用コネクタ（図示せず）とが接続される。この様に、カードアダプタ５００を介して、データ通信カード１００と端末装置３００の接続がなされ、データ通信カード１００、電池２０１、及び端末装置３００の間での電力の伝送が可能となる。
【００４６】
次に、上記接続がなされた場合、図１に示したアダプタ本体５０５に設けられた選択機構５０１の作用により、電力の供給に関して２種類のモード切替を行うことができる。即ち、データ通信カード１００と一体となってアダプタ本体５０５が端末装置３００に挿入されると、端末装置３００から電池２０１、又はデータ通信カード１００への電力供給が可能となるが、選択機構５０１が電池２０１への充電モードを選択した場合は、選択機構５０１において充電手段２１４が選択されて作動し、充電用の電力が、選択機構５０１、ライン２１０、２１３を介して端末装置３００から電池２０１へ供給され、電池２０１の充電が行われる。この際、端末装置３００からデータ通信カード１００への電力供給を行う電子機器電力供給手段２１５の作動が禁止され、端末装置３００からデータ通信カード１００への電力供給のための接続は遮断される。
【００４７】
一方、選択機構５０１がデータ通信カード１００への電力供給モードを選択した場合は、選択機構５０１において電子機器電力供給手段２１５が選択されて作動し、データ通信に必要な電力が、選択機構５０１、ライン２１０、２１１を介して端末装置３００からデータ通信カード１００へ供給される。この際、端末装置３００から電池２０１への電力供給を行う充電手段２１４の作動が禁止され、端末装置３００から電池２０１への電力供給のための接続は遮断される。
【００４８】
データ通信カード１００が挿入され、データ通信カードと一体となったアダプタ本体５０５を、端末装置３００から挿脱すると、端末装置３００との接続が解除されるが、この際、選択機構５０１が、電池電力伝送手段２１６により、電池２０１からデータ通信カード１００に電力が伝送される状態に切り替える。従って、データ通信に必要な電力が、選択機構５０１、ライン２１１、２１３を介して、カードアダプタ本体５０５に内蔵された電池２０１からデータ通信カード１００へ供給されることになる。
【００４９】
以上、説明した様に、本実施形態においては、充電手段２１４、電子機器電力伝送手段２１５、及び、電池電力伝送手段２１６を有する選択機構５０１を設けることにより、充電手段２１４により端末装置３００から電池２０１に電力が伝送されることにより電池２０１が充電される状態と、電子機器電力伝送手段２１５により端末装置３００からデータ通信カード１００に電力が伝送される状態と切り替えることができる。従って、アダプタ本体５０５が、データ通信カード１００を保持した状態で、データ通信カード１００と一体となって端末装置３００に装着されている場合に、選択機構５０１の選択機能により、電力の供給に関して、充電手段２１４により端末装置３００から電池２０１に電力が伝送されることにより電池２０１が充電される状態と、電子機器電力伝送手段２１５により端末装置３００からデータ通信カード１００に電力が伝送される状態の２種類のモードの切替を容易に行うことができるとともに、消費電力のムダを抑えることができる。又、カードアダプタ５００専用の充電器が不要となるとともに、端末装置３００から、直接、データ通信カード１００に電力を供給することも可能となる。
【００５０】
又、データ通信カード１００と一体となったアダプタ本体５０５が、端末装置３００から挿脱されている場合は、選択機構５０１の選択機能により、電池電力伝送手段２１６により電池２０１からデータ通信カード１００に電力が伝送される状態へ切り替え可能となるため、データ通信に必要な電力がカードアダプタ本体５０５に内蔵された電池２０１からデータ通信カード１００へ供給されることになる。従って、データ通信と音声通信のいずれを行う場合においても、データ通信カード１００を駆動する電力を、データ通信カード１００が接続される端末装置３００から供給する必要がなくなるため、データ通信カードとカードアダプタとを接続しただけの状態で、データ通信若しくは音声通信を行うことが可能となる。
【００５１】
以下、本発明の第３の実施形態について図面を参照して説明する。図４は、本発明の第３の実施形態にかかるカードアダプタシステムの構成を示す斜視図である。尚、本実施形態は、アダプタ本体５０５にデータ通信カード７００のみを装着する構成であり、データ通信カード７００と一体となったアダプタ本体５０５は、端末装置には装着されていない状態となっている。又、前述の第２の実施形態で説明した構成要素と同一のものに関しては、同一の符号を付してある。
【００５２】
図４において、カードアダプタ５００は、アダプタ本体５０５を有しており、図４では図示していないが、アダプタ本体５０５の一側面には、図１で示したデータ通信カード用スロット２０８が設けられており、当該データ通信用スロット２０８にデータ通信カード７００が挿入され、アダプタ本体５０５がデータ通信カード７００を保持した状態となっている。
【００５３】
カードアダプタ５００に挿入されるデータ通信カード７００は、上記第１、及び第２の実施形態におけるデータ通信カード１００と同様に、アンテナ７０２を有しており、当該アンテナを介して外部の通信機器との間で無線によるデータ通信と音声通話を行うものである。又、当該データ通信カード７００には専用インターフェイスとしてイヤホンマイク７１０が接続されており、本実施形態においては、当該イヤホンマイク７１０を通話手段として用いている。又、イヤホンマイク７１０には、手動の着呼スイッチ７１１が設けられており、他の端末装置から音声信号の着信があった場合に、当該着信スイッチ７１１をオンにすることにより、通話が可能となるものである。尚、上述の第１、第２の実施形態と同様に、カードアダプタ５００には、電池２０１が設けられており、この電池２０１は、図４に示す様に、カードアダプタ本体５０５に内蔵されている。
【００５４】
図５は、本発明の第３の実施形態にかかるカードアダプタシステムの概略構成を示すブロック図である。尚、本実施形態にかかるカードアダプタシステムは、図３に示した端末装置３００が設けられておらず、その代わりにデータ通信カード７００にイヤホンマイク７１０、及び着信スイッチ７１１が設けられている点以外は第２の実施形態にかかるカードアダプタシステムと全く同様の構成となっている。即ち、本実施形態にかかるカードアダプタ５００については、図３で説明した第２の実施形態にかかるカードアダプタ５００と全く同様のものである。
【００５５】
本実施形態におけるカードアダプタシステムにおいては、上述のごとく、アダプタ本体５０５にデータ通信カード７００のみを装着する構成であり、データ通信カード７００と一体となったアダプタ本体５０５は、端末装置には装着されていない状態となっているため、上記第２の実施形態において説明した様に、選択機構５０１が、電池電力伝送手段２１６により、電池２０１からデータ通信カード７００に電力が伝送される状態に切り替える。従って、データ通信に必要な電力が、選択機構５０１、ライン２１１、２１３を介して、カードアダプタ本体５０５に内蔵された電池２０１からデータ通信カード１００へ供給されることになる。
【００５６】
アダプタ本体５０５にデータ通信カード７００のみを装着した状態においては、データ通信カード７００は着信待ち受け状態に入っている。当該データ通信カード７００は着信通知機能を有しており、上記待ち受け状態にて他の端末装置からデータ信号、及び音声信号の着信があると、データ通信カード７００の着信通知機能により、使用者に当該着信を通知し、当該通知後に使用者はイヤホンマイク７１０に装着された着信スイッチ７１１をオンにすることにより、着信待ち受け状態が通話状態になり、通話が可能となる。尚、データ通信カード７００が備える当該着信通知機能は、例えば、イヤホンマイク７１０からの着信音やＬＥＤによる点灯等、使用者にデータ信号や音声信号の着信を知らせることができるものであれば、どのような態様のものでも構わない。
【００５７】
又、本実施形態においては、データ通信カード７００にイヤホンマイク７１０が設けられており、当該イヤホンマイク７１０に着信スイッチ７１１が設けられているが、当該イヤホンマイク７１０、及び着信スイッチ７１１をカードアダプタ５００に設ける構成としても良い。更に、カードアダプタ５００に着信通知回路（スピーカー、ＬＥＤ、バイブレータ等）を設けて着信状態を知らせることも可能である。
【００５８】
以上、説明した様に、本実施形態においては、アダプタ本体５０５にデータ通信カード７００のみを装着した状態において、選択機構５０１の選択機能により、電池電力伝送手段２１６により電池２０１からデータ通信カード７００に電力が伝送される状態へ切り替えられるため、データ通信に必要な電力がカードアダプタ本体５０５に内蔵された電池２０１からデータ通信カード７００へ供給されることになる。従って、データ通信カード７００を端末装置に接続し、データ通信カード７００の駆動に必要な電力を当該端末装置から供給する必要がなくなるため、データ通信カード７００とカードアダプタ５００のみで、着呼通話を行うことが可能となる。
【００５９】
以下、本発明の第４の実施形態について図面を参照して説明する。図６は、本発明の第４の実施形態にかかるカードアダプタシステムの構成を示す斜視図である。尚、本実施形態は、アダプタ本体８０５にデータ通信カード９００のみを装着する構成であり、データ通信カード９００と一体となったアダプタ本体８０５は、端末装置には装着されていない状態となっている。又、前述の第２、第３の実施形態で説明した構成要素と同一のものに関しては、同一の符号を付してある。
【００６０】
図６において、カードアダプタ８００は、アダプタ本体８０５を有しており、図６では図示していないが、アダプタ本体８０５の一側面には、図１で示したデータ通信カード用スロット２０８と同様のデータ通信カード用スロットが設けられており、当該データ通信用スロット２０８にデータ通信カード９００が挿入され、アダプタ本体８０５がデータ通信カード９００を保持した状態となっている。
【００６１】
カードアダプタ８００に挿入されるデータ通信カード９００は、上記第１、及び第２の実施形態におけるデータ通信カード１００と同様に、アンテナ９０２を有しており、当該アンテナを介して外部の通信機器との間で無線によるデータ通信と音声通話を行うものである。又、当該データ通信カード９００には専用インターフェイスとしてイヤホンマイク９１０が接続されており、本実施形態においては、当該イヤホンマイク９１０を通話手段として用いている。又、イヤホンマイク９１０には、手動の発呼スイッチ９１１が設けられており、当該発呼スイッチ９１１をオンにすることにより、特定の相手の連絡先を発呼し、通話が可能となるものである。尚、上述の第１、第２の実施形態と同様に、カードアダプタ８００には、電池２０１が設けられており、この電池２０１は、図６に示す様に、カードアダプタ本体８０５に内蔵されている。
【００６２】
図７は、本発明の第４の実施形態にかかるカードアダプタシステムの概略構成を示すブロック図である。図７に示す様に、本実施形態にかかるカードアダプタシステムは、図３、及び図５にて説明した第２、第３の実施形態にかかるカードアダプタシステムとほぼ同様の構成となっているが、前述の発呼スイッチ９１１がイヤホンマイク９１０に設けられている点以外に、カードアダプタ８００に発呼先伝送手段２１７とライン２３０、２３１が設けられている点、データ通信カード９００にメモリ９０１が設けられている点、及び、端末装置６００に発呼先記憶部６０１が設けられている点が異なっている。
【００６３】
端末装置６００に設けられた発呼先記憶部６０１には、複数の特定発呼先の電話番号等のデータが記憶されており、当該発呼先記憶部６０１に記憶されている発呼先は、端末装置６００にて書き換え可能となっている。データ通信カード９００に内蔵されているメモリ９０１には、特定の発呼先の電話番号等が記憶されており、当該メモリ９０１に記憶されている発呼先の書き換えは、データ通信カード９００が挿入され、当該データ通信カード９００と一体となったアダプタ本８０５を、端末装置６００に挿入し、カードアダプタ８００に設けられた発呼先伝送手段２１７、ライン２３０、２３１を介して、端末装置６００にて行われる。即ち、発呼先伝送手段２１７は、発呼先記憶部６０１に記憶された複数の発呼先データを、当該発呼先記憶部６０１からメモリ９０１に伝送され、メモリ９０１に登録された特定の発呼先が書き換えられる。
【００６４】
本実施形態におけるカードアダプタシステムにおいては、上述のメモリ９０１に登録された特定の発呼先の書き換えを行う際には、データ通信カード９００と一体となったアダプタ本８０５を、端末装置６００に挿入するが、当該書き換えを行わない時は、アダプタ本体８０５にデータ通信カード９００のみを装着し、データ通信カード９００と一体となったアダプタ本体８０５は、端末装置６００には装着されていない状態となっている。従って、上記第２、第３の実施形態において説明した様に、選択機構５０１が、電池電力伝送手段２１６により、電池２０１からデータ通信カード９００に電力が伝送される状態に切り替えるため、データ通信に必要な電力が、選択機構５０１、ライン２１１、２１３を介して、カードアダプタ本体８０５に内蔵された電池２０１からデータ通信カード７００へ供給されることになる。
【００６５】
アダプタ本体８０５にデータ通信カード９００のみを装着した状態においては、使用者はイヤホンマイク９１０に装着された発呼スイッチ９１１をオンにすることにより、メモリ９０１に登録されている特定の発呼先の電話番号を呼び出すことができるため通話状態となり、当該特定の発呼先との通話が可能となる。
【００６６】
以上、説明した様に、本実施形態においては、アダプタ本体８０５にデータ通信カード９００のみを装着した状態において、選択機構５０１の選択機能により、電池電力伝送手段２１６により電池２０１からデータ通信カード９００に電力が伝送される状態へ切り替えられるため、データ通信に必要な電力がカードアダプタ本体８０５に内蔵された電池２０１からデータ通信カード９００へ供給されることになる。従って、データ通信カード９００を端末装置に接続し、データ通信カード９００の駆動に必要な電力を当該端末装置から供給する必要がなくなるため、データ通信カード９００とカードアダプタ８００のみで、発呼通話を行うことが可能となる。
【００６７】
尚、本実施形態においては、データ通信カード９００とカードアダプタ８００のみで発呼通話を行う場合について説明したが、第３の実施形態において説明した着呼機能を加味することで、発着呼機能を有するカードアダプタシステムを構築することも可能である。即ち、図７に示した特定の発呼先を登録しておくメモリ９０１を備えたデータ通信カードに、第３の実施形態において説明したデータ通信カード７００が有する外部の通信機器からのデータ信号及び音声信号の着信を通知する着信通知機能を加味するとともに、イヤホンマイク９１０に第３の実施形態において説明した手動の着呼スイッチ７１１を更に設け、着信通知機能により着信が通知される前は、使用者はイヤホンマイク９１０に装着された発呼スイッチ９１１をオンにすることにより、メモリ９０１に登録されている特定の発呼先の電話番号を呼び出すことができるため通話状態となり、上記待ち受け状態にて他の端末装置からデータ信号、及び音声信号の着信があり、データ通信カード９００の着信通知機能により着信が通知された後は、使用者はイヤホンマイク９１０に装着された着信スイッチ７１１をオンにすることにより、着信待ち受け状態が通話状態となる構成としても良い。尚、着呼スイッチ７１１と発呼スイッチ９１１の両方の機能を有する別個の手動スイッチを、イヤホンマイク９１０に設ける構成としても良い。
【００６８】
又、本実施形態においては、データ通信カード９００にメモリ９０１が内蔵されているが、複数の発呼先の電話番号等のデータを記憶したメモリをカードアダプタ８００に内蔵するとともに、当該メモリに記憶された複数の発呼先の電話番号等から特定の発呼先を選択する機能をカードアダプタ８００に設ける構成としても良い。
【００６９】
【発明の効果】
以上、説明した様に、本発明によれば、端末装置と接続するためのカードアダプタに電池を内蔵することにより、別途充電器を用意することなく、端末装置に装着することによりカードアダプタに自動的にあるいは任意に充電を行うことが可能となる。又、カードアダプタに電池を内蔵することにより、端末装置から取り外しても、データ通信カードとカードアダプタと専用インターフェイスのみでの通信および通話が可能となる。
【図面の簡単な説明】
【図１】は、本発明の第１の実施形態にかかるカードアダプタシステムの構成を示す斜視図である。
【図２】は、本発明の第１の実施形態にかかるカードアダプタシステムの概略構成を示すブロック図である。
【図３】は、本発明の第２の実施形態にかかるカードアダプタシステムの概略構成を示すブロック図である。
【図４】は、本発明の第３の実施形態にかかるカードアダプタシステムの構成を示す斜視図である。
【図５】は、本発明の第３の実施形態にかかるカードアダプタシステムの概略構成を示すブロック図である。
【図６】は、本発明の第４の実施形態にかかるカードアダプタシステムの構成を示す斜視図である。
【図７】は、本発明の第４の実施形態にかかるカードアダプタシステムの概略構成を示すブロック図である。
【符号の説明】
１００　　　データ通信カード
１０２　　　アンテナ
２００　　　カードアダプタ
２０１　　　電池
２０２　　　制御機構
２０５　　　アダプタ本体
２０８　　　データ通信カード用スロット
２１４　　　充電手段
２１５　　　電子機器電力伝送手段
２１６　　　電池電力伝送手段
２１７　　　発呼先伝送手段
３００　　　端末装置
５００　　　カードアダプタ
５０１　　　選択機構
５０５　　　アダプタ本体
６０１　　　発呼先記憶部
７００　　　データ通信カード
７０２　　　アンテナ
７１０　　　イヤホンマイク
７１１　　　着呼スイッチ
８００　　　カードアダプタ
８０５　　　アダプタ本体
９００　　　データ通信カード
９０２　　　アンテナ
９１０　　　イヤホンマイク
９１１　　　着呼スイッチ
【図１】
2004147144.tif 000003
【図２】
2004147144.tif 000004
【図３】
2004147144.tif 000005
【図４】
2004147144.tif 000006
【図５】
2004147144.tif 000007
【図６】
2004147144.tif 000008
【図７】
2004147144.tif 000009